(57)【要約】【課題】投票を行う顧客が自ら購入情報を管理することなく、別途専用の通帳等を発行せずに、顧客満足度を向上させる購入情報管理システムを提供することを目的とする。【解決手段】顧客の投票券購入時に購入情報を投票端末２の購入情報記憶部２ａに記憶し、投票端末側購入情報通信部２ｂから、購入情報を携帯端末４の携帯端末側購入情報通信部４ａへ通信する。また配信装置３は、レース結果が更新されたときに払戻金情報記憶部３ａに払戻金情報を記憶し、配信部３ｂから携帯端末４の払戻金情報取得部４ｃへ配信する。これにより、携帯端末４の算出部４ｂは、的中情報と収支情報とを算出し、履歴記憶部４ｄは、購入情報、払戻金情報、的中情報および収支情報を記憶して履歴表示部４ｅは、購入情報、払戻金情報、的中情報および収支情報を表示する。【選択図】図１
2019101583.tif 000002
【特許請求の範囲】
【請求項１】
現金で投票を受付ける投票端末と、購入情報を記憶する顧客の携帯端末と、レース後に払戻金情報を配信する配信装置とを備える購入情報管理システムであって、
前記投票端末は、現金での投票時に投票券の前記購入情報を記憶する購入情報記憶部と、
前記投票端末上の所定の場所に置かれた前記携帯端末に、近距離無線通信で前記購入情報を送信する投票端末側購入情報通信部とを備え、
前記配信装置は、レースの前記払戻金情報を記憶する払戻金情報記憶部と、
前記払戻金情報を配信する配信部とを備え、
前記携帯端末は、前記投票端末から送信された前記購入情報を受信する携帯端末側購入情報通信部と、
前記配信装置から配信された前記払戻金情報を取得する払戻金情報取得部と、
前記購入情報と前記払戻金情報とから、的中情報と収支情報とを算出する算出部と、
前記購入情報、前記払戻金情報、前記的中情報、および前記収支情報を記憶する履歴記憶部と、
前記履歴記憶部を参照し、前記購入情報、前記払戻金情報、前記的中情報および前記収支情報を表示する履歴表示部と、
現金での投票をする際に、前記投票端末から前記携帯端末側購入情報通信部が、前記購入情報を受信して前記履歴記憶部に格納し、
前記払戻金情報を取得する際に前記配信装置から配信された前記払戻金情報を前記払戻金情報取得部が取得して前記履歴記憶部に格納すると共に、前記購入情報と前記払戻金情報とから前記算出部が前記的中情報と前記収支情報とを算出して前記履歴記憶部に格納し、
前記購入情報または前記収支情報を表示する際に前記履歴記憶部に格納された前記購入情報または前記収支情報を前記履歴表示部に表示させる制御部とを備える
購入情報管理システム。
【請求項２】
前記携帯端末の前記算出部は、収支結果の日付を指定可能な、
請求項１記載の購入情報管理システム。
【請求項３】
前記携帯端末の、
前記携帯端末側購入情報通信部は、前記携帯端末が前記投票端末の投票端末側購入情報通信部上に置かれることで、アプリケーションを起動する、
請求項１記載の購入情報管理システム。
【請求項４】
前記投票端末は、競馬、競輪、競艇またはオートレースにおいて、会場に配置される券売機であり、
請求項１記載の購入情報管理システム。
【発明の詳細な説明】
【技術分野】
【０００１】
本発明は、公営競技場等における現金での投票時に、購入情報を携帯端末に記憶し、収支情報を表示することができる購入情報管理システムに関する。
【背景技術】
【０００２】
公営競技場等においては、現金で投票券を購入し、レースの結果により払戻金を受け取る投票システムが知られている。このような投票システムで投票を希望する顧客は、投票端末へ現金を投入することにより投票を行う。
【０００３】
このような投票端末は、顧客が投票したい組合せを記載した投票カードを挿入されることにより投票を受付けて、顧客が投入した現金を掛け金として受付けて、投票券を発行する。そして、顧客は、予想が的中した場合に、投票券を投票端末へ挿入し、所定の倍率の払戻金を受け取ることができる。
【０００４】
このような状況において、顧客は投票券の購入情報と、投票券の購入金額から払戻金を引いた収支情報とを知りたいという要望がある。そのためには、投票を行う顧客が自ら購入情報を記録し、収支情報を計算する必要があり、煩わしくミスが発生する可能性があった。この点では、専用の通帳等に購入情報等を記録する技術が知られている（例えば、特許文献１参照）
【先行技術文献】
【特許文献】
【０００５】
【特許文献１】特開２０００−１０５７９０号公報
【発明の概要】
【発明が解決しようとする課題】
【０００６】
しかし、専用の通帳等に記録する場合は、別途専用の通帳等を発行する手間が発生し、正確に収支情報を記録するには、投票時に毎回通帳を持参する必要がある。
本発明はこのような点を鑑みてなされたものであり、別途専用の通帳等を発行せず、正確に購入情報と、収支情報を記録し表示できる購入情報管理システムを提供することを目的とする。
【課題を解決するための手段】
【０００７】
本発明の一観点によれば、現金で投票を受付ける投票端末と、購入情報を記憶する顧客の携帯端末と、レース後に払戻金情報を配信する配信装置とを備える購入情報管理システムが提供される。投票端末は、現金での投票時に投票券の購入情報を記憶する購入情報記憶部と、投票端末上の所定の場所に置かれた携帯端末に、近距離無線通信で購入情報を送信する投票端末側購入情報通信部とを備える。配信装置は、レースの払戻金情報を記憶する払戻金情報記憶部と、払戻金情報を配信する配信部とを備える。携帯端末は、投票端末から送信された購入情報を受信する携帯端末側購入情報通信部と、配信装置から配信された払戻金情報を取得する払戻金情報取得部と、購入情報と払戻金情報とから、的中情報と収支情報とを算出する算出部と、購入情報、払戻金情報、的中情報、および収支情報を記憶する履歴記憶部と、履歴記憶部を参照し、購入情報、払戻金情報、的中情報および収支情報を表示する履歴表示部と、現金での投票をする際に、投票端末から携帯端末側購入情報通信部が、購入情報を受信して履歴記憶部に格納し、払戻金情報を取得する際に配信装置から配信された払戻金情報を払戻金情報取得部が取得して履歴記憶部に格納すると共に、購入情報と払戻金情報とから算出部が的中情報と収支情報とを算出して履歴記憶部に格納し、購入情報または収支情報を表示する際に履歴記憶部に格納された購入情報または収支情報を表示部に表示させる制御部とを備える。
【発明の効果】
【０００８】
本発明の購入情報管理システムによれば、投票端末に顧客の所持する携帯端末へ購入情報を記憶させ、携帯端末に収支情報を算出させ、表示させることにより、別途専用の通帳等を発行せず、正確に購入情報と、収支情報を記録し表示できる。
【図面の簡単な説明】
【０００９】
【図１】第１の実施の形態の購入情報管理システムを示す図である。
【図２】第２の実施の形態のトータリゼータシステムを適用したシステム構成の一例を示す図である。
【図３】投票端末のハードウェア構成の一例を示す図である。
【図４】配信装置のハードウェア構成の一例を示す図である。
【図５】スマートフォンのハードウェア構成の一例を示す図である。
【図６】スマートフォンが投票端末上の通信可能位置に置かれた場合に投票端末で実行される投票端末接続処理のフローチャート（その１）である。
【図７】投票端末の表示画面例を示す図であって、（Ａ）はアイドル画面の例を示し、（Ｂ）はスマートフォン確認画面の例を示している。
【図８】スマートフォンが投票端末上の通信可能位置に置かれた場合に投票端末で実行される投票端末接続処理のフローチャート（その２）である。
【図９】投票端末の表示画面例を示す図であって、（Ａ）は現金投入画面の例を示し、（Ｂ）は投票カード挿入画面の例を示している。
【図１０】スマートフォンが投票端末上の通信可能位置に置かれた場合に投票端末で実行される投票端末接続処理のフローチャート（その３）である。
【図１１】投票端末の表示画面例を示す図であって、（Ａ）はスマートフォン取り外し確認画面の例を示し、（Ｂ）は投票終了画面の例を示している。
【図１２】スマートフォン上で実行される購入情報と、収支情報との表示制御処理のフローチャートである。
【図１３】スマートフォンに表示される顧客からの操作を待ち受ける初期画面（メニュー画面）例を示す図である。
【図１４】スマートフォンに購入情報等を表示する購入情報表示画面例を示す図である。
【図１５】スマートフォンに収支情報を表示する収支情報表示画面例を示す図である。
【図１６】スマートフォン上で実行される投票端末からの購入情報の受信処理のフローチャートである。
【図１７】投票端末からスマートフォンへ送られる購入情報の一例を示す図である。
【図１８】スマートフォン上で実行される配信装置からの払戻金情報受信処理のフローチャートである。
【図１９】配信装置からスマートフォンへ配信される払戻金情報の一例を示す図である。
【図２０】スマートフォンが記憶する購入情報ＤＢの一例を示す図である。
【発明を実施するための形態】
【００１０】
以下、本発明の購入情報管理システムについて、競馬の勝馬投票券を購入するトータリゼータシステムに適用した場合について図面を参照して説明する。
［第１の実施の形態］
まず、第１の実施の形態の購入情報管理システムについて、図１を用いて説明する。図１は、第１の実施の形態の購入情報管理システムを示す図である。
【００１１】
購入情報管理システム１は、現金で投票を受付ける投票端末２と、購入情報を記憶する顧客の携帯端末４と、レース後に払戻金情報を配信する配信装置３とを備える。
ここで購入情報とは、購入日、組番および金額等のどのような内容で投票券を購入したかの情報である。また、払戻金情報とは、開催済みのレースにおいて、各賭式毎に的中した組番、払戻金およびレース番号等を含む。
【００１２】
投票端末２は、投票時に投票券の購入情報を記憶する購入情報記憶部２ａと、投票端末２上の所定の場所に置かれた携帯端末４と近距離無線通信で購入情報を通信する投票端末側購入情報通信部２ｂとを備える。
【００１３】
購入情報記憶部２ａは、購入情報を記憶し、投票処理の完了時に購入情報を投票端末２の投票端末側購入情報通信部２ｂへ送る。
投票端末側購入情報通信部２ｂは、購入情報記憶部２ａから購入情報を受けて、携帯端末４へ送信する。このような投票端末側購入情報通信部２ｂは、投票端末上の所定の位置に置かれた携帯端末４とのみ無線通信することができる。
【００１４】
配信装置３は、レースの払戻金情報を記憶する払戻金情報記憶部３ａと、払戻金情報を広域ネットワーク５で配信する配信部３ｂとを備える。
払戻金情報記憶部３ａは、レース結果が更新されるごとに、最新のレース結果である払戻金情報を取得して記憶する。このような払戻金情報記憶部３ａは、配信部３ｂへ払戻金情報を送る。
【００１５】
配信部３ｂは、携帯端末４から広域ネットワーク５を介して通信があると、携帯端末４へ払戻金情報を配信する。
携帯端末４は、携帯端末側購入情報通信部４ａ、算出部４ｂ、払戻金情報取得部４ｃ、履歴記憶部４ｄ、履歴表示部４ｅおよび制御部４ｆを備える。また携帯端末４は、制御部４ｆの制御により、払戻金情報取得部４ｃと、携帯端末側購入情報通信部４ａとからの購入情報等を受けて算出部４ｂにより収支情報等を算出され、履歴記憶部４ｄに送られる。このような携帯端末４は、制御部４ｆの制御により履歴記憶部４ｄに収支情報等が記憶され、履歴表示部４ｅに収支情報等が表示される。
【００１６】
携帯端末側購入情報通信部４ａは、投票端末２の投票端末側購入情報通信部２ｂから購入情報を受信する。また、携帯端末側購入情報通信部４ａは、投票端末２上の所定の位置に携帯端末４が置かれた際に通信を開始する。
【００１７】
算出部４ｂは、購入情報と払戻金情報とから、的中情報と収支情報とを算出する。
ここで的中情報とは、払戻金情報に含まれるレースごとの各賭式毎に的中した組番と、購入情報に含まれる実際に購入されたレースごとの組番とが合致するかを検索し、合致する組番の集合を的中情報とする。また、収支情報とは、的中情報に含まれる各賭式毎に的中した組番について、払戻金情報に含まれる払戻金額を指定の日付で合算したものである。
【００１８】
払戻金情報取得部４ｃは、配信装置３の配信部３ｂから広域ネットワーク５を介して、払戻金情報を取得する。また、払戻金情報取得部４ｃは、一定の期間ごとに払戻金情報を取得する。
【００１９】
履歴記憶部４ｄは、算出部４ｂより購入情報、払戻金情報、的中情報および収支情報を受けて記憶する。
履歴表示部４ｅは、要求に応じて購入情報、払戻金情報、的中情報または収支情報を表示する。
【００２０】
制御部４ｆは、顧客が現金での投票をする際に、投票端末２から携帯端末側購入情報通信部４ａが、購入情報を受信して履歴記憶部４ｄに格納する。
また、制御部４ｆは、払戻金情報を取得する際に、配信装置３から配信された払戻金情報を払戻金情報取得部４ｃが取得して履歴記憶部４ｄに格納すると共に、購入情報と払戻金情報とから算出部４ｂが的中情報と収支情報とを算出して履歴記憶部４ｄに格納する。
【００２１】
このような、制御部４ｆは、購入情報または収支情報を表示する際に、履歴記憶部４ｄへ格納された購入情報または収支情報を履歴表示部４ｅへ表示させる。
このような購入情報管理システム１によれば、投票端末２は顧客の投票券購入時に購入情報を投票端末２の購入情報記憶部２ａに記憶し、投票端末側購入情報通信部２ｂから、購入情報を携帯端末４の携帯端末側購入情報通信部４ａと通信する。また配信装置３は、レース結果が更新されたときに払戻金情報記憶部３ａに払戻金情報を記憶し、配信部３ｂから携帯端末４の払戻金情報取得部４ｃへ配信する。これにより、携帯端末４の算出部４ｂは、携帯端末側購入情報通信部４ａから購入情報と、払戻金情報取得部４ｃから払戻金情報とを受けて、的中情報と収支情報とを算出し履歴記憶部４ｄへ送る。さらに、履歴記憶部４ｄは、購入情報、払戻金情報、的中情報および収支情報を記憶して履歴表示部４ｅに送る。履歴表示部４ｅは、購入情報、払戻金情報、的中情報および収支情報を表示する。
【００２２】
これにより、購入情報管理システム１は、投票端末に顧客の所持する携帯端末へ購入情報を記憶させ、携帯端末に収支情報を算出させ、表示させることにより、顧客に正確に購入情報と、収支情報を把握させることができる。
【００２３】
［第２の実施の形態］
第２の実施の形態について、図２を用いて説明する。図２は、第２の実施の形態のトータリゼータシステムを適用したシステム構成の一例を示す図である。
【００２４】
トータリゼータシステム１０は、複数の投票端末２０、配信装置３０、スマートフォン４０、広域ネットワーク５０、ネットワーク機器５１および投票サーバ５２とから構成されている。また、トータリゼータシステム１０は、投票時に投票端末２０とスマートフォン４０との間が近距離無線通信で接続され、配信装置３０とスマートフォン４０との間が払戻金情報の配信時に広域ネットワーク５０を介して接続されている。さらにトータリゼータシステム１０は、投票端末２０がネットワーク機器５１と広域ネットワーク５０を介して投票サーバ５２と接続され、配信装置３０と投票サーバ５２が広域ネットワーク５０を介して接続されている。
【００２５】
投票端末２０は、現金による投票を受付けて投票券の購入情報を記憶し、スマートフォン４０が投票端末２０上の通信可能位置に置かれた場合に通信し、投票券の購入情報をスマートフォン４０へ近距離無線通信するためのユニットを備える。このような投票端末２０は、例えば公営競技場に設置され投票券の購入による投票と、的中した投票券の挿入による払戻金の払戻をする券売機である。
【００２６】
配信装置３０は、払戻金情報の配信時にスマートフォン４０と広域ネットワーク５０を介して接続し、払戻金情報をスマートフォン４０へ配信する。また、配信装置３０は、広域ネットワーク５０を介して、投票サーバ５２より払戻金情報を取得する。例えば配信装置３０は、ネットワークサーバである。
【００２７】
スマートフォン４０は、現金での投票時に投票端末２０と投票券の購入情報を通信して記憶し、配信装置３０から払戻金情報を取得して記憶し、購入情報と払戻金情報とから、的中情報と収支情報を算出して記憶する。また、スマートフォン４０は、投票端末２０上の通信可能位置に置かれた場合のみしか通信できない、例えばＦｅｌｉＣａ（登録商標）等のＮＦＣ（Near Field Communication）により投票端末２０と通信する。さらに、例えば複数のスマートフォン４０が置かれた場合は、一番最初に置かれたスマートフォン４０との間で通信を行う形でもよいし、一番近いスマートフォン４０との間（端末の前近辺にいる距離範囲）で通信を行うようにしてもよい。このような、スマートフォン４０は、第１の実施例の携帯端末４に対応する。
【００２８】
ネットワーク機器５１は、投票端末２０と広域ネットワーク５０の間にあり、投票端末２０と投票サーバ５２との間の通信を制御する。
投票サーバ５２は、レースの開催前に投票端末２０から投票を受付けて、レースの開催後に結果である払戻金情報を生成し、広域ネットワーク５０を介して払戻金情報を配信装置３０へ送る。
【００２９】
次に、第２の実施形態の投票端末のハードウェア構成について図３を用いて説明する。図３は、投票端末のハードウェア構成の一例を示す図である。
投票端末２０は、制御部２１と、ディスプレイ２２ａを備える。投票端末２０は、ディスプレイ２２ａに設置されたタッチパネル２２ｂと、紙幣処理ユニット２２ｃと、硬貨処理ユニット２２ｄとを備える。また、投票端末２０は、投票券発券ユニット２２ｅと、払戻投票券読取ユニット２２ｆを備える。さらに、投票端末２０は、投票カード読取ユニット２２ｇと、近距離通信ユニット２２ｈとを備える。
【００３０】
制御部２１はプロセッサ２１ａを含み、プロセッサ２１ａによって投票端末２０全体が制御されている。
プロセッサ２１ａには、バス２１ｈを介してＲＡＭ（Random Access Memory）２１ｂと、ＨＤＤ（Hard Disk Drive）２１ｃ、グラフィック処理部２１ｄ、入出力インタフェース２１ｅ、ディスクドライブ２１ｆ、通信制御部２１ｇが接続されている。
【００３１】
ＲＡＭ２１ｂには、プロセッサ２１ａに実行させるＯＳ（Operating System）のプログラムやアプリケーションプログラムの少なくとも一部が一時的に格納される。また、ＲＡＭ２１ｂには、プロセッサ２１ａによる処理に必要な各種データが格納される。
【００３２】
グラフィック処理部２１ｄには、ディスプレイ２２ａが接続されている。グラフィック処理部２１ｄは、プロセッサ２１ａからの命令に従って、画像をディスプレイ２２ａの画面に表示させる。なお、ディスプレイ２２ａは、筐体の外側に表示面を向けて備えられる顧客向けの情報表示装置である。
【００３３】
入出力インタフェース２１ｅには、タッチパネル２２ｂと、紙幣処理ユニット２２ｃ、硬貨処理ユニット２２ｄが接続されている。また、入出力インタフェース２１ｅには、投票券発券ユニット２２ｅと、払戻投票券読取ユニット２２ｆが接続されている。さらに、入出力インタフェース２１ｅは、投票カード読取ユニット２２ｇと、近距離通信ユニット２２ｈとが接続されている。入出力インタフェース２１ｅは、タッチパネル２２ｂと、紙幣処理ユニット２２ｃ、硬貨処理ユニット２２ｄ、投票券発券ユニット２２ｅ、払戻投票券読取ユニット２２ｆ、投票カード読取ユニット２２ｇまたは近距離通信ユニット２２ｈから送られてくる信号を、バス２１ｈを介してプロセッサ２１ａに送信する。タッチパネル２２ｂは、筐体の外側に向けて備えられる顧客向けの入力装置である。紙幣処理ユニット２２ｃは、紙幣の受け入れ、紙幣の真贋の鑑別、紙幣の収納、紙幣の返却、釣札（紙幣）の払い出しを行う。硬貨処理ユニット２２ｄは、硬貨の受け入れ、硬貨の真贋の鑑別、硬貨の収納、硬貨の返却、釣銭（硬貨）の払い出しを行う。投票券発券ユニット２２ｅは、投票券を印刷して発券する。払戻投票券読取ユニット２２ｆは、投票券を受け入れて投票内容を読み取る。投票カード読取ユニット２２ｇは、投票カードから投票内容を読み取るユニットである。近距離通信ユニット２２ｈは、スマートフォン４０と通信をするユニットである。
【００３４】
ディスクドライブ２１ｆは、図示しない可搬型記録媒体への情報の書き込み、および可搬型記録媒体からの情報の読出しが可能な装置である。ディスクドライブ２１ｆは、可搬型記録媒体から読み取った信号を、バス２１ｈを介してプロセッサ２１ａに送信し、プロセッサ２１ａからバス２１ｈを介して受付けた信号を可搬型記録媒体に書き込む。
【００３５】
通信制御部２１ｇは、広域ネットワーク５０に接続されており、配信装置３０との間で情報の通信を行う。
近距離通信ユニット２２ｈは、スマートフォン４０との間で近距離無線通信を行う。
【００３６】
以上のようなハードウェア構成によって、本実施の形態の投票端末２０での処理機能を実現することができる。
次に、第２の実施形態の配信装置のハードウェア構成について図４を用いて説明する。図４は、配信装置のハードウェア構成の一例を示す図である。
【００３７】
配信装置３０は、制御部３１を含む。制御部３１は、プロセッサ３１ａ、ＲＡＭ３１ｂ、ＨＤＤ３１ｃ、入出力信号インタフェース３１ｄ、記憶媒体インタフェース３１ｅ、通信インタフェース３１ｆを含む。配信装置３０は、プロセッサ３１ａによって装置全体が制御されている。
【００３８】
ＲＡＭ３１ｂは、配信装置３０の主記憶装置として使用される。ＲＡＭ３１ｂには、プロセッサ３１ａに実行させるＯＳのプログラムやアプリケーションプログラムの少なくとも一部が一時的に格納される。また、ＲＡＭ３１ｂには、プロセッサ３１ａによる処理に必要な各種データが格納される。
【００３９】
ＨＤＤ３１ｃは、内蔵したディスクに対して、磁気的にデータの書き込みおよび読出しを行う。ＨＤＤ３１ｃは、配信装置３０の補助記憶装置として使用される。ＨＤＤ３１ｃには、ＯＳのプログラム、アプリケーションプログラム、および各種データが格納される。なお、補助記憶装置としては、フラッシュメモリ等の半導体記憶装置を使用することもできる。
【００４０】
入出力信号インタフェース３１ｄには、入出力デバイス３２ａが接続されている。入出力デバイス３２ａは、入力デバイスと出力デバイスを含む。入力デバイスの一例として、キーボードや、マウスや、タッチパネル等がある。また、出力デバイスの一例には、モニタや、液晶表示や、各種パネル表示装置等がある。
【００４１】
入出力信号インタフェース３１ｄは、キーボードやマウスから送られてくる信号をプロセッサ３１ａに送信する。なお、マウスは、ポインティングデバイスの一例であり、他のポインティングデバイスを使用することもできる。他のポインティングデバイスとしては、タッチパネル、タブレット、タッチパッド、トラックボール等がある。
【００４２】
入出力デバイス３２ａの出力デバイスは、プロセッサ３１ａからの命令に従って、画像をモニタ画面に表示させる。モニタとしては液晶表示装置等がある。
記憶媒体インタフェース３１ｅは、磁気やレーザ等を利用して記憶媒体３２ｂに記録されたデータの読み取りや書き込みを行う。また、記憶媒体インタフェース３１ｅは、半導体メモリ等の記憶媒体に記録されたデータの読み取りを行うものであってもよい。記憶媒体３２ｂとは、例えば、光ディスクや、フラッシュメモリ等の半導体メモリ等を含む。
【００４３】
記憶媒体インタフェース３１ｅは、配信装置３０に周辺機器を接続するための通信インタフェースとしても用いることができる。
通信インタフェース３１ｆは、広域ネットワーク５０に接続されている。通信インタフェース３１ｆは、広域ネットワーク５０を介して、他のコンピュータまたは通信機器との間でデータの通信を行う。なお、広域ネットワーク５０は、有線ネットワークでもよいし、無線ネットワークでもよい。
【００４４】
以上のようなハードウェア構成によって、本実施の形態の配信装置３０での処理機能を実現することができる。
次に、第２の実施形態のスマートフォンのハードウェア構成について図５を用いて説明する。図５は、スマートフォンのハードウェア構成の一例を示す図である。
【００４５】
スマートフォン４０は、無線通信部４１ａ、プロセッサ４１ｂ、ＲＡＭ４１ｃ、不揮発性メモリ４１ｄ、ディスプレイ４１ｆ、タッチパネル４１ｇ、スピーカ４１ｈ、マイクロホン４１ｉ、ＧＰＳ受信機４１ｊおよびカメラ４１ｅを有する。無線通信部４１ａ、プロセッサ４１ｂ、ＲＡＭ４１ｃ、不揮発性メモリ４１ｄ、ディスプレイ４１ｆ、タッチパネル４１ｇ、スピーカ４１ｈ、マイクロホン４１ｉ、ＧＰＳ受信機４１ｊおよびカメラ４１ｅは、それぞれバス４１ｋに接続されている。
【００４６】
無線通信部４１ａは、広域ネットワーク５０に接続する機能と、近距離無線通信をする機能とを備える。このような無線通信部４１ａは、広域ネットワーク５０に属する基地局またはアクセスポイントと無線リンクで接続され、無線通信を行う無線通信インタフェースである。無線通信部４１ａは、基地局またはアクセスポイントを介して、配信装置３０と通信することができる。無線通信部４１ａが準拠する無線通信規格としては、例えば、Ｗ−ＣＤＭＡ（Wideband - Code Division Multiple Access）、ＬＴＥ（Long Term Evolution）、ＩＥＥＥ（Institute of Electrical and Electronics Engineers）８０２．１１などが挙げられる。ただし、スマートフォン４０は、無線通信部４１ａに代えてまたは無線通信部４１ａと共に、通信装置とケーブルで接続される有線通信インタフェースを備えてもよい。
【００４７】
さらに、無線通信部４１ａは、近距離無線通信の機能を備え、各種機器と情報通信が可能である。例えば、無線通信部４１ａは、投票端末２０の近距離通信ユニット２２ｈの通信可能範囲内に置かれることで、購入管理アプリケーションを起動する。
【００４８】
ＲＡＭ４１ｃは、配信装置３０のＲＡＭ３１ｂと同様、プロセッサ４１ｂが実行するプログラムやプロセッサ４１ｂが演算に用いるデータを一時的に記憶する揮発性の半導体メモリである。
【００４９】
不揮発性メモリ４１ｄは、各種ソフトウェアのプログラムおよびデータを記憶する不揮発性の記憶装置である。不揮発性メモリ４１ｄとしては、例えば、フラッシュメモリを用いることができる。記憶されるプログラムには、ＯＳと投票端末２０と連携して投票に関する情報の送受信などを行う購入情報管理アプリケーションプログラムとが含まれる。保存されるデータには、購入情報ＤＢが含まれる。
【００５０】
ディスプレイ４１ｆは、プロセッサ４１ｂからの指示に応じて操作画面などの画像を表示する。ディスプレイ４１ｆとしては、例えば、液晶ディスプレイや有機ＥＬ（Electro Luminescence）ディスプレイなどを用いることができる。
【００５１】
タッチパネル４１ｇは、顧客からの入力を受付ける入力装置である。タッチパネル４１ｇは、ディスプレイ４１ｆに重ねて設置される。タッチパネル４１ｇは、ディスプレイ４１ｆに表示された画面に対する顧客のタッチ操作を検出し、タッチ位置をプロセッサ４１ｂに通知する。タッチ位置の検出方法としては、抵抗膜方式や静電容量方式などの任意のものを使用できる。なお、スマートフォン４０は、タッチパネル４１ｇに代えてまたはタッチパネル４１ｇと共に、キーパッドなどの他の入力装置を備えてもよい。
【００５２】
スピーカ４１ｈは、プロセッサ４１ｂから音声信号としての電気信号を取得し、物理振動に変換して音を再生する。例えば、顧客が通話を行っているとき、通話相手の声や背景雑音が再生される。マイクロホン４１ｉは、音の物理振動を電気信号に変換し、音声信号としての電気信号をプロセッサ４１ｂに出力する。例えば、顧客が通話を行っているとき、顧客の声や背景雑音がマイクロホン４１ｉから入力される。
【００５３】
ＧＰＳ受信機４１ｊは、複数のＧＰＳ（Global Positioning System）衛星それぞれからＧＰＳ信号を受信し、受信したＧＰＳ信号を用いてスマートフォン４０の現在位置を算出する。ＧＰＳ信号には、ＧＰＳ衛星が当該ＧＰＳ信号を送信した時刻が含まれる。現在位置は、複数のＧＰＳ衛星からのＧＰＳ信号の伝送時間の違いに基づいて算出することができる。現在位置は、例えば、経度、緯度、高度で表現することができる。
【００５４】
カメラ４１ｅは、二次元コードの読み取り機能や、画像の撮像機能を有する。カメラ４１ｅは、光学系、撮像素子、ＡＤＣ（Analog-to-Digital Converter）、および信号処理回路などを有する。光学系は、レンズや絞り機構などを含む導光部である。撮像素子は、ＣＣＤ（Charge Coupled Device）やＣＭＯＳ（Complementary Metal Oxide Semiconductor）などの光電変換素子である。ＡＤＣは、撮像素子から出力される電気信号をデジタル信号に変換する回路である。信号処理回路は、ＡＤＣから出力されたデジタル信号に対して画質の調整や符号化などの信号処理を施して画像データを生成する回路である。信号処理回路により生成された画像データは、不揮発性メモリ４１ｄに書き込まれる。
【００５５】
以上のようなハードウェア構成によって、本実施の形態のスマートフォン４０での処理機能を実現することができる。
次に、投票端末で実行されるスマートフォン接続処理について、図６、図７を用いて説明する。図６は、スマートフォンが投票端末上の通信可能位置に置かれた場合に投票端末で実行される投票端末接続処理のフローチャート（その１）である。図７は、投票端末の表示画面例を示す図であって、（Ａ）はアイドル画面の例を示し、（Ｂ）はスマートフォン確認画面の例を示している。
【００５６】
ここで投票端末２０は、公営競技場等に設置されており、まだ顧客には使用されておらず、操作待ちのアイドル画面を表示した状態であるとする。また、投票端末２０は、顧客が自己のスマートフォン４０を所持している場合に、現金による投票券の購入情報を記録することができる。逆に、投票端末２０は、顧客が自己のスマートフォン４０を所持していない場合でも、現金による投票券の購入情報を記録せずに、顧客が投票券を購入することができる。
【００５７】
投票端末２０のディスプレイ２２ａとタッチパネル２２ｂは、投票端末２０を正面から見て手前側へ伸びた場所の上側に上向きで設置されており、顧客が正面に立つことで表示内容の確認と、タッチパネルによる入力とを行うことができる。また投票端末２０の近距離通信ユニット２２ｈは、ディスプレイ２２ａの脇に備えられ、通信可能範囲内にスマートフォン４０を置かれることで、スマートフォン４０と通信することができる。
【００５８】
［ステップＳ０１］プロセッサ２１ａは、顧客に購入情報を記録するためのスマートフォン４０の有無を選択させるアイドル画面を表示する。
ここで、ディスプレイ２２ａに表示されるアイドル画面は、図７（Ａ）に示されるように、上部に「購入情報を記録するスマートフォンがありますか？」と言うメッセージ表示と、スマートフォンありボタン６１ａと、スマートフォンなしボタン６１ｂとを備える。なお、タッチパネル２２ｂは、ディスプレイ２２ａの画面上に重ねて配置されている。
【００５９】
スマートフォンありボタン６１ａは、顧客が自己のスマートフォン４０等を所持している場合に押下することができる。
スマートフォンなしボタン６１ｂは、顧客が自己のスマートフォン４０等を所持していない場合に押下することができる。
【００６０】
［ステップＳ０２］プロセッサ２１ａは、顧客が自己のスマートフォン４０を所持しているかを判定する。プロセッサ２１ａは、タッチパネル２２ｂのスマートフォンありボタン６１ａを押下された場合に顧客が自己のスマートフォンを所持していることを判定する。プロセッサ２１ａは、タッチパネル２２ｂのスマートフォンありボタン６１ａを押下されなかった場合に顧客が自己のスマートフォンを所持していないことを判定する。これにより、プロセッサ２１ａが自己のスマートフォンを所持していることを判定した場合に、次の処理はステップＳ０３へ進められる。また、プロセッサ２１ａが自己のスマートフォンを所持していないことを判定した場合に、次の処理はステップＳ１１へ進められる。
【００６１】
［ステップＳ０３］プロセッサ２１ａは、スマートフォンを置くように指示する画面であるスマートフォン確認画面６２を表示する。
ここで、ディスプレイ２２ａに表示されるスマートフォン確認画面６２は、図７（Ｂ）に示されるように、上部に「スマートフォンを通信ユニットの上に置いてください」と言うメッセージ表示と、右上部に取消ボタン６２ａとを備える。
【００６２】
取消ボタン６２ａは、押下されることにより処理を終了する。
［ステップＳ０４］プロセッサ２１ａは、スマートフォン４０との接続が完了したことを判定する。プロセッサ４１ａは近距離通信ユニット２２ｈによりスマートフォン４０との接続を確認した場合に、スマートフォン４０との接続が完了したことを判定する。プロセッサ４１ａは近距離通信ユニット２２ｈにより、スマートフォン４０との接続を確認できなかった場合に、スマートフォン４０との接続が完了していないことを判定する。これにより、プロセッサ２１ａがスマートフォン４０との接続が完了したことを判定した場合に、次の処理はステップＳ１１へ進められる。また、プロセッサ２１ａがスマートフォン４０との接続が完了しないことを判定した場合に、次の処理はステップＳ０５へ進む。
【００６３】
［ステップＳ０５］プロセッサ２１ａは、顧客により処理が取り消されたことを判定する。プロセッサ２１ａは、取消ボタン６２ａが押された場合に、顧客により処理が取り消されたことを判定する。プロセッサ２１ａは、取消ボタン６２ａが押されない場合に、顧客により処理が取り消されなかったことを判定する。これにより、プロセッサ２１ａが、顧客により処理が取り消されたことを判定した場合に、次の処理はステップＳ０１へ戻る。またプロセッサ２１ａが、顧客により処理が取り消されなかった場合に、次の処理はステップＳ０３に戻る。
【００６４】
次に、投票端末で実行される投票受付処理について、図８、図９、図１０および図１１を用いて説明する。図８は、スマートフォンが投票端末上の通信可能位置に置かれた場合に投票端末で実行される投票端末接続処理のフローチャート（その２）である。図９は、投票端末の表示画面例を示す図であって、（Ａ）は現金投入画面の例を示し、（Ｂ）は投票カード挿入画面の例を示している。図１０は、スマートフォンが投票端末上の通信可能位置に置かれた場合に投票端末で実行される投票端末接続処理のフローチャート（その３）である。図１１は、投票端末の表示画面例を示す図であって、（Ａ）はスマートフォン取り外し確認画面の例を示し、（Ｂ）は投票終了画面の例を示している。
【００６５】
ここで投票端末２０は、既に顧客が使用中であり、スマートフォン接続処理が完了している状態である。ただし、スマートフォン４０を接続しなくても、顧客は投票を行うことはできる。
【００６６】
［ステップＳ１１］プロセッサ２１ａは、顧客に現金を投入させるか、的中投票券を挿入させるための現金投入画面６３を表示する。
ここで、ディスプレイ２２ａに表示される現金投入画面６３は、図９（Ａ）に示されるように、上部に「現金か的中投票券を入れてください」のメッセージ表示、取消ボタン６３ａ、場名表示領域６３ｂ、日付表示領域６３ｃ、レース表示領域６３ｄ、払戻中パターン表示領域６３ｅおよび発売中パターン表示領域６３ｆを備える。なお、現金が投入された場合は、投票券の購入に使用され、的中投票券が挿入された場合は、払戻金による投票券の購入または払戻に使用される。
【００６７】
取消ボタン６３ａは、顧客に押下されることにより処理を取り消す。
場名表示領域６３ｂは、公営競技のレースの開催されている会場の場名を表示する。例えば競馬において、○○競馬場で開催されるレースであれば、「○○」のように表示される。
【００６８】
日付表示領域６３ｃは、公営競技のレースの開催されている日付を表示する。
レース表示領域６３ｄは、現時点でのレースの進行状態を表示する。例えば左から順に第１レース、第２レース、第３レースの進行状態を表示する。
【００６９】
払戻中パターン表示領域６３ｅは、レース表示領域６３ｄにおける払戻中のレースについて付されるパターンを表示する。
発売中パターン表示領域６３ｆは、レース表示領域６３ｄにおける発売中のレースについて付されるパターンを表示する。
【００７０】
例えば、図９（Ａ）において、場名「○○」のレースは、払戻中のパターンが表示されている第１レースから第５レースまでが払戻金を払戻中であり、第６レースから第１２レースまでが投票券を発売中であることを表す。
【００７１】
［ステップＳ１２］プロセッサ２１ａは、投票端末２０へ現金が投入されたことを判定する。プロセッサ２１ａは、紙幣処理ユニット２２ｃまたは硬貨処理ユニット２２ｄが現金を認識すると、現金が投入されたことを判定する。これにより、プロセッサ２１ａが現金が投入されたことを判定すると、次の処理はステップＳ１３へ進められる。また、プロセッサ２１ａが現金が投入されなかったことを判定すると、次の処理はステップＳ１４へ進められる。
【００７２】
［ステップＳ１３］プロセッサ２１ａは、投票カードの挿入を指示する投票カード挿入画面６４を表示する。
ここで、ディスプレイ２２ａに表示される投票カード挿入画面６４は、図９（Ｂ）に示されるように、「投票カードを入れるか「精算」を押してください」のメッセージの表示と、精算ボタン６４ａとを備える。また、投票カード挿入前の投票カード挿入画面６４は、上部の投票カードを入れる旨のメッセージ表示と、精算ボタン６４ａのみが表示されている。投票カード挿入後の投票カード挿入画面６４は、例えば図９（Ｂ）の表示のように、投入された現金の金額か的中投票券の払戻金の金額が投入の欄に表示され、読み取った投票カードの情報がその他の欄に表示されている。
【００７３】
［ステップＳ１４］プロセッサ２１ａは、顧客が処理の取消をしたかを判定する。プロセッサ２１ａは、現金投入画面６３の取消ボタン６３ａが押下された場合に、顧客が処理の取消をしたことを判定する。プロセッサ２１ａは、現金投入画面６３の取消ボタン６３ａが押下されなかった場合に、顧客が処理の取消をしなかったことを判定する。これにより、プロセッサ２１ａが処理の取消を判定した場合に、次の処理はステップＳ２１へ進められる。またプロセッサ２１が処理の取消をしなかったことを判定した場合に、次の処理はステップＳ１１へ戻る。
【００７４】
［ステップＳ１５］プロセッサ２１ａは、投票カードが挿入されたことを判定する。プロセッサ２１ａは、投票カード読取ユニット２２が投票カードを認識した場合に、投票カードが挿入されたことを判定する。プロセッサ２１ａは、投票カード読取ユニット２２が投票カードを認識しない場合に、投票カードが挿入されなかったことを判定する。これにより、プロセッサ２１ａが投票カードが挿入されたことを判定すると、次の処理はステップＳ１６へ進められる。また、プロセッサ２１ａが、投票カードが挿入されなかったことを判定すると、次の処理はステップＳ２０へ進められる。
【００７５】
［ステップＳ１６］投票端末２０と、投票サーバ５２とは、ネットワーク機器５１と、広域ネットワーク５０とを介して投票データを送受信する。
［ステップＳ１７］投票券発券ユニット２２ｅは、投票券を印字する。
【００７６】
［ステップＳ１８］プロセッサ２１ａは、スマートフォン４０の接続があるかを判定する。プロセッサ２１ａは、近距離通信ユニット２２ｈがスマートフォン４０の接続があることを判定すると、次の処理はステップＳ１９へ進められる。
【００７７】
プロセッサ２１ａは、近距離通信ユニット２２ｈがスマートフォン４０の接続がないことを判定すると、次の処理はステップＳ２０へ進められる。
［ステップＳ１９］プロセッサ２１ａは、スマートフォン４０の無線通信部４１ａへ購入情報を送信する。
【００７８】
［ステップＳ２０］プロセッサ２１ａは、顧客が精算処理を希望するかどうかを判定する。プロセッサ２１ａは、投票カード挿入画面６４の精算ボタン６４ａが押下された場合に、顧客が精算処理を希望することを判定する。プロセッサ２１ａは、投票カード挿入画面６４の精算ボタン６４ａが押下されなかった場合に、顧客が精算処理を希望しないことを判定する。これにより、プロセッサ２１ａが精算処理を希望することを判定した場合に、次の処理はステップＳ２１へ進められる。また、プロセッサ２１ａが精算処理を希望しないことを判定した場合に、次の処理はステップＳ１３へ戻る。
【００７９】
［ステップＳ２１］プロセッサ２１ａは、スマートフォン４０との接続が完了しているかを判定する。プロセッサ２１ａは、近距離通信ユニット２２ｈがスマートフォン４０を認識している場合に、スマートフォン４０との接続が完了していることを判定する。プロセッサ２１ａは、近距離通信ユニット２２ｈがスマートフォン４０を認識していない場合に、スマートフォン４０との接続が完了していないことを判定する。これにより、プロセッサ２１ａが、スマートフォン４０との接続が完了していることを判定した場合に、次の処理はステップＳ２２へ進められる。また、プロセッサ２１ａがスマートフォン４０との接続が完了していないことを判定した場合に、次の処理はステップＳ２３へ進められる。
【００８０】
［ステップＳ２２］プロセッサ２１ａは、ディスプレイ２２ａにスマートフォン４０の取り外し指示をする画面を表示する。
ここで、ディスプレイ２２ａに表示されるスマートフォン取り外し確認画面６５は、図１１（Ａ）に示されるように、中央に「購入情報をスマートフォンに登録しました。スマートフォンをお取りください。」のメッセージを表示する。
【００８１】
［ステップＳ２３］プロセッサ２１ａは、紙幣処理ユニット２２ｃと、硬貨処理ユニット２２ｄとからお釣りを顧客へ払い出す。
［ステップＳ２４］プロセッサ２１ａは、投票券発券ユニット２２ｅから投票券を顧客へ発行する。
【００８２】
［ステップＳ２５］プロセッサ２１ａは、ディスプレイ２２ａにお釣りと投票券の受け取りを指示する画面を一定時間表示させた後、ステップＳ０１へ戻る。
ここで、ディスプレイ２２ａに表示される投票終了画面６６は、図１１（Ｂ）に示されるように、画面上部に「投票券とお釣りをお受け取りください。」と言うメッセージと、投票券の枚数と、お釣りの金額と、「ありがとうございました」と言うメッセージとを表示する。なお、表示内容に投票券の詳細内容を表示するようにしてもよい。
【００８３】
次に、スマートフォンで実行されるスマートフォン制御処理について、図１２、図１３、図１４および図１５を用いて説明する。図１２は、スマートフォン上で実行される購入情報と、収支情報との表示制御処理のフローチャートである。図１３は、スマートフォンに表示される顧客からの操作を待ち受ける初期画面（メニュー画面）例を示す図である。図１４は、スマートフォンに購入情報等を表示する購入情報表示画面例を示す図である。図１５は、スマートフォンに収支情報を表示する収支情報表示画面例を示す図である。
【００８４】
ここでスマートフォン４０は、購入情報または収支情報を表示しようとする顧客の操作により図１３の初期画面（メニュー画面）６７を表示している。
［ステップＳ３１］プロセッサ４１ｂはディスプレイ４１ｆへ図１３に示される初期画面（メニュー画面）６７を表示する。
【００８５】
ここで、ディスプレイ４１ｆに表示される初期画面（メニュー画面）６７は、上部に「購入情報管理アプリ」と言うメッセージが表示され、購入情報ボタン６７ａと、収支情報ボタン６７ｂとを備える。
【００８６】
購入情報ボタン６７ａは、顧客により押下されることにより、ディスプレイ４１ｆの表示を購入情報画面へ遷移させる。
収支情報ボタン６７ｂは、顧客により押下されることにより、ディスプレイ４１ｆの表示を収支情報画面へ遷移させる。
【００８７】
［ステップＳ３２］プロセッサ４１ｂは、顧客が購入情報を表示するかを判定する。プロセッサ４１ｂは、購入情報ボタン６７ａが押下された場合に、顧客が購入情報を表示することを判定する。プロセッサ４１ｂは、購入情報ボタン６７ａが押下されない場合に、顧客が購入情報を表示しないことを判定する。これにより、プロセッサ４１ｂが購入情報を表示することを判定した場合に、次の処理はステップＳ３３へ進められる。また、プロセッサ４１ｂが購入情報を表示しないことを判定した場合に、次の処理はステップＳ３６へ進められる。
【００８８】
［ステップＳ３３］プロセッサ４１ｂは、購入情報の画面を表示する。
ここでディスプレイ４１ｆに表示される購入情報画面６８は、図１４に示されるようにレースの開催日付を選択することにより、レースの購入金額、未確定金額、払戻金額、収支合計を表示する。このような購入情報画面６８は、検索ボタン６８ａと、本日分ボタン６８ｂと、メインメニューに戻るボタン６８ｃとを備える。
【００８９】
検索ボタン６８ａは、顧客に押下されることにより、選択された開催日付のデータを画面下部へ表示させる。
本日分ボタン６８ｂは、顧客に押下されることにより、開催日付を本日のものに設定し、本日分のデータを画面下部へ表示させる。
【００９０】
メインメニューに戻るボタン６８ｃは、顧客に押下されることにより、初期画面（メニュー画面）６７へディスプレイ４１ｆの表示を遷移させる。
［ステップＳ３４］プロセッサ４１ｂは、顧客が購入情報の検索をしたかを判定する。プロセッサ４１ｂは、検索ボタン６８ａが押下された場合に、顧客が購入情報の検索をしたことを判定する。プロセッサ４１ｂは、検索ボタン６８ａが押下されなかった場合に、顧客が購入情報の検索をしなかったことを判定する。プロセッサ４１ｂが、購入情報の検索をしたことを判定すると、次の処理はステップＳ３３へ戻る。プロセッサ４１ｂが、購入情報の検索をしなかったことを判定すると、次のステップはＳ３５へ進められる。
【００９１】
［ステップＳ３５］プロセッサ４１ｂは、ステップＳ３４で検索ボタン６８ａが押されない場合に、顧客がメインメニューへ戻ることを希望するかを判定する。つまり、プロセッサ４１ｂは、検索ボタン６８ａか、メインメニューへ戻るボタン６８ｃが押されるまで待ち受ける。プロセッサ４１ｂは、メインメニューに戻るボタン６８ｃが押下された場合に、顧客がメインメニューに戻ることを希望したことを判定する。プロセッサ４１ｂは、メインメニューに戻るボタン６８ｃが押下されなかった場合に、顧客がメインメニューに戻ることを希望しなかったことを判定する。これにより、プロセッサ４１ｂがメインメニューに戻ることを希望したことを判定した場合に、次の処理はステップＳ３１へ戻る。また、プロセッサ４１ｂがメインメニューに戻ることを希望しなかったことを判定した場合に、次の処理はステップＳ３４へ戻る。
【００９２】
［ステップＳ３６］プロセッサ４１ｂは、顧客が収支情報を表示するかを判定する。プロセッサ４１ｂは、収支情報ボタン６７ｂが押下された場合に、顧客が収支情報を表示することを判定する。プロセッサ４１ｂは、収支情報ボタン６７ｂが押下されない場合に、顧客が収支情報を表示しないことを判定する。これにより、プロセッサ４１ｂが収支情報を表示することを判定した場合に、次の処理はステップＳ３７へ進められる。また、プロセッサ４１ｂが収支情報を表示しないことを判定した場合に、次の処理はステップＳ３２へ戻る。
【００９３】
［ステップＳ３７］プロセッサ４１ｂは、ディスプレイ４１ｆに収支情報の画面を表示する。
ここでディスプレイ４１ｆに表示される収支情報画面６９は、図１５に示されるようにレースの開催日付を選択することにより、収支合計をグラフとして表示する。検索ボタン６９ａと、本日分ボタン６９ｂと、メインメニューに戻るボタン６９ｃとについては、購入情報画面６８と同様のため説明を省略する。
【００９４】
収支情報画面６９の中央には、上部の開催日付で選択された日付の収支情報が折れ線グラフで表示される。例えば、図１５においては、２０１７年１０月３１日の収支情報は、１レース目の時点では０円であり、７レース目の時点では収支合計が４８９００円であることを示している。
【００９５】
［ステップＳ３８］プロセッサ４１ｂは、顧客が購入情報の検索をしたかを判定する。プロセッサ４１ｂは、検索ボタン６９ａが押下された場合に、顧客が購入情報の検索をしたことを判定する。プロセッサ４１ｂは、検索ボタン６９ａが押下されなかった場合に、顧客が購入情報の検索をしなかったことを判定する。プロセッサ４１ｂが、購入情報の検索をしたことを判定すると、次の処理はステップＳ３７へ戻る。プロセッサ４１ｂが、購入情報の検索をしなかったことを判定すると、次のステップはＳ３９へ進められる。
【００９６】
［ステップＳ３９］プロセッサ４１ｂは、ステップＳ３８で検索ボタン６９ａが押されない場合に、顧客がメインメニューへ戻ることを希望するかを判定する。つまり、プロセッサ４１ｂは、検索ボタン６９ａか、メインメニューへ戻るボタン６９ｃが押されるまで待ち受ける。プロセッサ４１ｂは、メインメニューに戻るボタン６９ｃが押下された場合に、顧客がメインメニューに戻ることを希望したことを判定する。プロセッサ４１ｂは、メインメニューに戻るボタン６９ｃが押下されなかった場合に、顧客がメインメニューに戻ることを希望しなかったことを判定する。これにより、プロセッサ４１ｂがメインメニューに戻ることを希望したことを判定した場合に、次の処理はステップＳ３１へ戻る。また、プロセッサ４１ｂがメインメニューに戻ることを希望しなかったことを判定した場合に、次の処理はステップＳ３８へ戻る。
【００９７】
次に、スマートフォンで実行される購入情報受信処理について、図１６、図１７を用いて説明する。図１６は、スマートフォン上で実行される投票端末からの購入情報の受信処理のフローチャートである。図１７は、投票端末からスマートフォンへ送られる購入情報の一例を示す図である。
【００９８】
ここで投票端末２０の通信制御部２１ｇは、顧客にスマートフォン４０が投票端末２０の通信可能な位置に置かれるのを待ち受けている。
［ステップＳ４１］プロセッサ４１ｂは、投票端末２０からのスマートフォン情報要求を受信したかを判定する。プロセッサ４１ｂは、無線通信部４１ａがスマートフォン情報要求を受信した場合に、投票端末２０からのスマートフォン情報要求を受信したことを判定する。プロセッサ４１は、無線通信部４１ａがスマートフォン情報要求を受信しなかった場合に、投票端末２０からのスマートフォン情報要求を受信しなかったことを判定する。つまり、プロセッサ４１ｂは、投票端末２０からのスマートフォン情報要求を待ち受ける。これにより、プロセッサ４１ｂが、投票端末２０からのスマートフォン情報要求を受信したことを判定した場合に、次の処理はステップＳ４２へ進められる。プロセッサ４１ｂが、投票端末２０からのスマートフォン情報要求を受信しなかったことを判定した場合に、次の処理はステップＳ４１へ戻る。
【００９９】
［ステップＳ４２］近距離通信ユニット２２ｈは、スマートフォン４０の無線通信部４１ａへスマートフォン情報応答を送信する。
［ステップＳ４３］プロセッサ４１ｂは、購入情報を受信したことを判定する。プロセッサ４１ｂは、無線通信部４１ａが購入情報を受信した場合に、購入情報を受信したことを判定する。プロセッサ４１ｂは、無線通信部４１ａが購入情報を受信しなかった場合に、購入情報を受信しなかったことを判定する。これにより、プロセッサ４１ｂが購入情報を受信したことを判定した場合に、次の処理はステップＳ４４へ進められる。プロセッサ４１ｂが購入情報を受信しなかったことを判定した場合に、次の処理はステップＳ４３へ戻る。
【０１００】
［ステップＳ４４］スマートフォン４０のプロセッサ４１ｂは、投票端末２０からの購入情報をＲＡＭ４１ｃへ格納する。
ここで、購入情報７０は、図１７に示されるように、購入日、購入時間、開催日、場名、レース、方式、式別、組番および金額の情報を備えている。情報の各項目については説明済みのため、省略する。
【０１０１】
［ステップＳ４５］スマートフォン４０のプロセッサ４１ｂは、無線通信部４１ａを介して、投票端末２０の通信制御部２１ｇへ購入情報応答を送信する。
［ステップＳ４６］プロセッサ４１ｂは、投票端末２０との通信が切断したことを判定する。プロセッサ４１ｂは、無線通信部４１ａが投票端末２０との通信が切断したことを認識した場合に、投票端末２０との通信が切断したことを判定する。プロセッサ４１ｂは、無線通信部４１ａが投票端末２０との通信が切断したことを認識しない場合に、投票端末２０との通信が切断していないことを判定する。これにより、プロセッサ４１ｂが投票端末２０との通信が切断したことを判定した場合に、次の処理はステップＳ４１へ戻る。また、プロセッサ４１ｂが投票端末２０との通信が切断していないことを判定した場合に、次の処理はステップＳ４３へ戻る。
【０１０２】
次に、スマートフォンで実行される払戻金情報受信処理について、図１８、図１９および図２０を用いて説明する。図１８は、スマートフォン上で実行される配信装置からの払戻金情報受信処理のフローチャートである。図１９は、配信装置からスマートフォンへ配信される払戻金情報の一例を示す図である。図２０は、スマートフォンが記憶する購入情報ＤＢの一例を示す図である。
【０１０３】
ここでスマートフォン４０は、払戻金情報の受信が広域ネットワーク５０に接続できる状態であれば、スマートフォン４０の任意のタイミングで行うことができるものとする。
［ステップＳ５１］プロセッサ４１ｂは、配信装置３０から払戻金情報を受信したことを判定する。プロセッサ４１ｂは、無線通信部４１ａが配信装置３０から払戻金情報を受信したことを認識した場合に、配信装置３０から払戻金情報を受信したことを判定する。プロセッサ４１ｂは、無線通信部４１ａが配信装置３０から払戻金情報を受信したことを認識しなかった場合に、配信装置３０から払戻金情報を受信しなかったことを判定する。これにより、プロセッサ４１ｂが、配信装置３０から払戻金情報を受信したことを判定した場合に、次の処理はステップＳ５２へ進む。プロセッサ４１ｂが、配信装置３０から払戻金情報を受信しなかったことを判定した場合に、次の処理はステップＳ５１へ戻る。
【０１０４】
ここで、スマートフォン４０の無線通信部４１ａが受信する払戻金情報７１は、図１９に示されるように、開催日、場名、レース、式別、組番および払戻金の情報を備える。情報の各項目については、購入情報画面６８と同様であるため、ここでは説明を省略する。
【０１０５】
［ステップＳ５２］プロセッサ４１ｂは、配信装置３０へ払戻金情報応答を送信する。
［ステップＳ５３］プロセッサ４１ｂは、ＲＡＭ４１ｃへ配信装置３０からの図１９の払戻金情報７１を格納する。
【０１０６】
［ステップＳ５４］プロセッサ４１ｂは、図２０の購入情報ＤＢ７２から払戻金情報７１と一致する購入情報を検索する。
ここで、ＲＡＭ４１ｃが記憶する購入情報ＤＢ７２は、図２０に示されるように、購入日、購入時間、開催日、場名、レース、方式、式別、組番、購入金額、払戻金額、収支金額の情報を備える。情報の各項目については、購入情報画面６８と同様であるため、ここでは説明を省略する。また、ＲＡＭ４１ｃが記憶する購入情報ＤＢ７２は、払戻金額の項目が０円の場合が、購入したレースが的中しなかったことを表し、空白の場合がこれから開催予定のレースであることを表す。例えば図２０の場合は、払戻金額の項目で、現在第９レース以後が空欄であるため、２０１７年１０月３１日の第９レース以降は開催前であることを表す。
【０１０７】
［ステップＳ５５］プロセッサ４１ｂは、購入組合せが的中しているかを判定する。プロセッサ４１ｂは、払戻金情報７１において、購入情報ＤＢ７２の購入組合せが的中している場合に、購入組合せが的中していることを判定する。プロセッサ４１ｂは、払戻金情報７１において、購入情報ＤＢ７２の購入組合せが的中していない場合に、購入組合せが的中していないことを判定する。このように、プロセッサ４１ｂが購入組合せが的中していることを判定した場合に、次の処理はステップＳ５６へ進められる。また、プロセッサ４１ｂが購入組合せが的中していないことを判定した場合に、次の処理はステップＳ５７へ進められる。
【０１０８】
［ステップＳ５６］プロセッサ４１ｂは、的中金額を計算して、ＲＡＭ４１ｃの購入情報ＤＢ７２の払戻金額の項目に的中金額を格納する。
［ステップＳ５７］プロセッサ４１ｂは、ＲＡＭ４１ｃの購入情報ＤＢ７２の払戻金額の項目に０円を格納する。
【０１０９】
［ステップＳ５８］プロセッサ４１ｂは、購入金額と払戻金額の差を、ＲＡＭ４１ｃの購入情報ＤＢの７２の収支金額の項目に格納する。
［ステップＳ５９］プロセッサ４１ｂが、ＲＡＭ４１ｃの購入情報ＤＢ７２のすべての記録を検索済みであることを判定すると、次の処理はステップＳ５１へ進められる。プロセッサ４１ｂが、ＲＡＭ４１ｃの購入情報ＤＢ７２のすべての記録を検索済みではないことを判定すると、次の処理はステップＳ５４へ戻る。なお、各ステップ（ステップＳ０２、ステップＳ０４、ステップＳ０５、ステップＳ１２、ステップＳ１４、ステップＳ１５、ステップＳ１８、ステップＳ２０、ステップＳ２１、ステップＳ３２、ステップＳ３４、ステップＳ３６、ステップＳ３８、ステップＳ４１、ステップＳ４３他）において、媒体（投票券、投票カード）が挿入されなかった場合や、ボタンが押下されなかった場合、接続待ちの場合等は、設定時間を設けてもよい。
【０１１０】
このようなトータリゼータシステム１０によれば、投票端末２０が顧客の投票券購入時に購入情報を記憶し、スマートフォン４０と通信し、ネットワーク機器５１と広域ネットワーク５０とを介して、購入情報を投票サーバ５２へ送る。またトータリゼータシステム１０は、配信装置３０が、レース結果が更新されたときに投票サーバ５２から払戻金情報を受信して記憶し、スマートフォン４０へ広域ネットワーク５０を介して配信する。これにより、スマートフォン４０は、購入情報と、払戻金情報とから、的中情報と収支情報とを算出して記憶する。さらにトータリゼータシステム１０は、スマートフォン４０を顧客が操作した際に購入情報、払戻金情報、的中情報および収支情報をスマートフォン４０に表示する。
【０１１１】
これにより、トータリゼータシステム１０は、投票端末２０に顧客の所持するスマートフォン４０へ購入情報を記憶させ、スマートフォン４０に収支情報を算出させ、表示させることにより、顧客に正確に購入情報と、収支情報を把握させることができる。
【０１１２】
なお、上記の実施例においては、勝馬投票券を購入するトータリゼータシステムについて説明したが、競馬、競輪、競艇またはオートレースについても適用することができる。
【符号の説明】
【０１１３】
１  購入情報管理システム
２  投票端末
２ａ  購入情報記憶部
２ｂ  投票端末側購入情報通信部
３  配信装置
３ａ  払戻金情報記憶部
３ｂ  配信部
４  携帯端末
４ａ  携帯端末側購入情報通信部
４ｂ  算出部
４ｃ  払戻金情報取得部
４ｄ  履歴記憶部
４ｅ  履歴表示部
４ｆ  制御部
５  広域ネットワーク
１０  トータリゼータシステム
２０  投票端末
２１  制御部
２１ａ  プロセッサ
２１ｄ  グラフィック処理部
２１ｅ  入出力インタフェース
２１ｆ  ディスクドライブ
２１ｇ  通信制御部
２１ｈ  バス
２２ａ  ディスプレイ
２２ｂ  タッチパネル
２２ｃ  紙幣処理ユニット
２２ｄ  硬貨処理ユニット
２２ｅ  投票券発券ユニット
２２ｆ  払戻投票券読取ユニット
２２ｇ  投票カード読取ユニット
２２ｈ  近距離通信ユニット
３０  配信装置
３１  制御部
３１ａ  プロセッサ
３１ｄ  入出力信号インタフェース
３１ｅ  記憶媒体インタフェース
３１ｆ  通信インタフェース
３１ｈ  バス
３２ａ  入出力デバイス
３２ｂ  記憶媒体
４０  スマートフォン
４１ａ  無線通信部
４１ｂ  プロセッサ
４１ｄ  不揮発性メモリ
４１ｅ  カメラ
４１ｆ  ディスプレイ
４１ｇ  タッチパネル
４１ｈ  スピーカ
４１ｉ  マイクロホン
４１ｊ  受信機
４１ｋ  バス
５０  広域ネットワーク
５１  ネットワーク機器
５２  投票サーバ
６１ａ  スマートフォンありボタン
６１ｂ  スマートフォンなしボタン
６２  スマートフォン確認画面
６２ａ  取消ボタン
６３  現金投入画面
６３ａ  取消ボタン
６３ｂ  場名表示領域
６３ｃ  日付表示領域
６３ｄ  レース表示領域
６３ｅ  払戻中パターン表示領域
６３ｆ  発売中パターン表示領域
６４  投票カード挿入画面
６４ａ  精算ボタン
６５  確認画面
６６  投票終了画面
６７  初期画面（メニュー画面）
６７ａ  購入情報ボタン
６７ｂ  収支情報ボタン
６８  購入情報画面
６８ａ  検索ボタン
６８ｂ  本日分ボタン
６８ｃ  メインメニューに戻るボタン
６９  収支情報画面
６９ａ  検索ボタン
６９ｂ  本日分ボタン
６９ｃ  メインメニューに戻るボタン
７０  購入情報
７１  払戻金情報
７２  購入情報ＤＢ
【図１】
2019101583.tif 000003
【図２】
2019101583.tif 000004
【図３】
2019101583.tif 000005
【図４】
2019101583.tif 000006
【図５】
2019101583.tif 000007
【図６】
2019101583.tif 000008
【図７】
2019101583.tif 000009
【図８】
2019101583.tif 000010
【図９】
2019101583.tif 000011
【図１０】
2019101583.tif 000012
【図１１】
2019101583.tif 000013
【図１２】
2019101583.tif 000014
【図１３】
2019101583.tif 000015
【図１４】
2019101583.tif 000016
【図１５】
2019101583.tif 000017
【図１６】
2019101583.tif 000018
【図１７】
2019101583.tif 000019
【図１８】
2019101583.tif 000020
【図１９】
2019101583.tif 000021
【図２０】
2019101583.tif 000022